(57)【特許請求の範囲】
【請求項１】
下端が開口された開口部を有して略門型に形成された壁パネルの前記開口部にドア枠を取り付けてなるドア枠の取付構造において、
前記壁パネルの表面に、予め外装材が取り付けられており、
前記ドア枠は、このドア枠の上部に位置し、かつ前記外装材の下端部に近接して前記壁パネルに取付固定されるドア上枠と、このドア上枠と前記外装材との間に設けられる調整材とを備えており、
前記調整材は、前記ドア上枠の上端部を被覆するようにして前記壁パネルに取付固定される止水部材と、この止水部材の表面を被覆するためのカバー部材とを有しており、
前記止水部材は、この止水部材の上端部に形成され、前記カバー部材の上端部に形成される第１被係合部に係合する第１係合部と、止水部材の下端部に形成され、前記カバー部材の下端部に形成される第２被係合部に係合する第２係合部とを備えており、
前記止水部材には、前記第２係合部の近傍に、前記カバー部材の第２被係合部に弾性的に密接する弾性止水材が設けられており、
前記調整材の上面と前記外装材の下端面との間は止水されるとともに、この調整材の下面は、前記ドア上枠の上面に密着していることを特徴とするドア枠の取付構造。
【請求項２】
請求項１に記載のドア枠の取付構造において、
前記ドア上枠の上端部には、この上端部と壁パネルとの境界部分を被覆するための防水テープが貼り付けられており、
前記止水部材の裏面には、前記防水テープの表面に密着する止水材が設けられていることを特徴とするドア枠の取付構造。
【請求項３】
請求項１または２に記載のドア枠の取付構造において、
前記ドア枠の外周縁と前記外装材との間に形成された隙間に目地材が充填されていることを特徴とするドア枠の取付構造。 
【発明の詳細な説明】
【技術分野】
【０００１】
本発明は、下端が開口された開口部を有して略門型に形成された壁パネルの前記開口部に、下辺部が前記壁パネルの下端よりも下方に突出する矩形枠状のドア枠を取り付けてなるドア枠の取付構造に関する。
【背景技術】
【０００２】
近年、住宅等の建物の構築についてはその工業化が進み、例えば壁や床、屋根といった構成要素を予め工場にてパネル化しておき、施工現場でこれらのパネルを組み立てることにより住宅を構築するパネル工法が一部に採用されている（例えば、特許文献１参照）。
また、このようなパネル工法において、予め工場等において壁パネルに外装材やドア、サッシ等の装備品を取り付けておき、このような壁パネルを現場で組み立てることによって、現場での作業を省略する施工方法も行われている。
そして、玄関ドア等のドアを備える壁パネルは略門型に形成されており、この壁パネルには、外装材が、壁パネル表面に予め取り付けられるとともに、ドアを支持するドア枠が、その上端部が外装材裏面と壁パネル表面との間に予め挟み込まれるようにして取り付けられており、外装材とドア枠との間の止水性を高めることができるようになっている。
【特許文献１】特開平１１−２６９９８２号公報
【発明の開示】
【発明が解決しようとする課題】
【０００３】
ところで、壁パネルは基礎上に立設されるものである。ところが、玄関ドアを壁パネルに取り付ける際に、例えばドア枠の下辺部が壁パネル下端より下方に突出しない状態で取り付けられてしまうと、玄関ドアは、少なくとも基礎の高さ分よりも高い位置に設けられることとなる。このように玄関ドアが高い位置に設けられると、玄関の土間床と地面との高低差が大きくなり、玄関ドアを介しての屋内外の行き来が困難となる。このため、ドア枠を、その下辺部が壁パネルの下端よりも下方に突出するようにして壁パネルに取り付けることによって、ドア枠の下辺部を基礎の上端部よりも下げ、これに合わせて玄関の土間床の床面高さを下げて、玄関の土間床と地面との高低差を小さくする場合があった。
【０００４】
しかしながら、このようにドア枠の下辺部が壁パネルの下端よりも下方に突出していると、この突出した下辺部が壁パネルの輸送時に破損したり、この破損を防ぐための経費がかかったり等の問題が生じてしまう場合があった。
このような問題を解決するためにドア枠を現場施工とした場合、上述のように、ドア枠の上端部は外装材裏面と壁パネル表面との間に挟み込まれる構成であるため、このドア枠が現場施工である以上、壁パネルの表面に外装材を予め取り付けておくことができないという問題があった。
そこで、壁パネルの表面に予め外装材を取り付けておいても、後付けでドア枠を取り付けることができるような技術の開発が望まれていた。
【０００５】
本発明の課題は、ドア枠が取り付けられる壁パネルの表面に予め外装材を取り付けておくことができ、施工性を向上させることが可能なドア枠の取付構造を提供することを目的とする。
【課題を解決するための手段】
【０００６】
請求項１に記載の発明は、例えば図１〜図８に示すように、下端が開口された開口部１ａを有して略門型に形成された壁パネル１の前記開口部１ａにドア枠２を取り付けてなるドア枠２の取付構造において、
前記壁パネル１の表面に、予め外装材４が取り付けられており、
前記ドア枠２は、このドア枠２の上部に位置し、かつ前記外装材４の下端部に近接して前記壁パネル１に取付固定されるドア上枠１０と、このドア上枠１０と前記外装材４との間に設けられる調整材１１とを備えており、
前記調整材１１は、前記ドア上枠１０の上端部を被覆するようにして前記壁パネル１に取付固定される止水部材１２と、この止水部材１２の表面を被覆するためのカバー部材１３とを有しており、
前記止水部材１２は、この止水部材１２の上端部に形成され、前記カバー部材１３の上端部に形成される第１被係合部１３ａに係合する第１係合部１２ａと、止水部材１２の下端部に形成され、前記カバー部材１３の下端部に形成される第２被係合部１３ｂに係合する第２係合部１２ｂとを備えており、
前記止水部材１２には、前記第２係合部１２ｂの近傍に、前記カバー部材１３の第２被係合部１３ｂに弾性的に密接する弾性止水材１２ｃが設けられており、
前記調整材１１の上面と前記外装材４の下端面との間は止水されるとともに、この調整材１１の下面は、前記ドア上枠１０の上面に密着していることを特徴とする。
【０００７】
請求項１に記載の発明によれば、前記ドア枠２は、このドア枠２の上部に位置し、かつ前記外装材４の下端部に近接して前記壁パネル１に取付固定されるドア上枠１０と、このドア上枠１０と前記外装材４との間に設けられる調整材１１とを備えているので、前記壁パネル１の表面に、予め外装材４が取り付けられていても、従来とは異なり、前記ドア枠２を、前記壁パネル１の開口部１ａに取り付けできることとなる。すなわち、前記ドア枠２は、現場にて前記壁パネル１の開口部１ａに後付けできることとなり、これによって、前記壁パネル１を、この壁パネル１の表面に前記外装材４を取り付けたまま輸送することが可能となるので、現場にて外装材４の取付作業を省略することができ、施工性を向上させることが可能となる。
しかも、前記調整材１１の上面と前記外装材４の下端面との間は止水されるとともに、この調整材１１の下面は、前記ドア上枠１０の上面に密着しているので、この調整材１１と、前記外装材４およびドア上枠１０との間からの雨水等の浸入を確実に防ぐことができ、前記ドア上枠１０周囲の止水性を向上させることが可能となる。
また、前記調整材１１は、前記ドア上枠１０の上端部を被覆するようにして前記壁パネル１に取付固定される止水部材１２と、この止水部材１２の表面を被覆するためのカバー部材１３とを備えていることから、前記止水部材１２によって、前記ドア上枠１０の上端部付近からから雨水等が浸み込んでいくのを確実に防ぐことができるとともに、前記カバー部材１３によって、前記止水部材１２が雨水等によって濡れるのを確実に防ぐことができるので、前記ドア上枠１０周囲の止水性をより向上させることが可能となる。
また、前記第１被係合部１３ａに前記第１係合部１２ａを係合させるとともに、前記第２被係合部１３ｂに前記第２係合部１３ｂを係合させるだけで、前記止水部材１２とカバー部材１３とを容易かつ確実に係合させることができる。
また、前記止水部材１２には、前記第２係合部１２ｂの近傍に、前記カバー部材１３の第２被係合部１３ｂに弾性的に密接する弾性止水材１２ｃが設けられていることから、この弾性止水材１２ｃによって、前記カバー部材１３の第２被係合部１３ｂを、この第２被係合部１３ｂに係合する前記止水部材１２の第２係合部１２ｂに向かって弾性的に押し込むことができるので、これら第２係合部１２ｂおよび第２被係合部１３の係合時におけるガタツキ等をなくして、係合状態を良好なものとすることができる。しかも、この弾性止水材１２ｃによって、前記止水部材１２とカバー部材１３との隙間からの雨水等の浸入を確実に防ぐことができるので、前記ドア上枠１０周囲の止水性をさらに向上させることが可能となる。
【００１２】
請求項２に記載の発明は、例えば図２，図４〜図７に示すように、請求項１に記載のドア枠２の取付構造において、
前記ドア上枠１０の上端部には、この上端部と壁パネル１との境界部分を被覆するための防水テープ１４が貼り付けられており、
前記止水部材１２の裏面には、前記防水テープ１４の表面に密着する止水材１２ｄが設けられていることを特徴とする。
【００１３】
請求項２に記載の発明によれば、前記ドア上枠１０の上端部には、この上端部と壁パネル１との境界部分を被覆するための防水テープ１４が貼り付けられており、前記止水部材１２の裏面には、前記防水テープ１４の表面に密着する止水材１２ｄが設けられているので、前記防水テープ１４によって、前記ドア上枠１０の上端部と壁パネルとの境界部分から雨水等が浸入するのを確実に防ぐことができるとともに、前記止水材１２ｄによって、前記止水部材１２の裏面側への雨水等の浸入を確実に防ぐことができ、前記ドア上枠１０周囲の止水性をより一層向上させることが可能となる。
【００１４】
請求項３に記載の発明は、例えば図１，図２および図８に示すように、請求項１または２に記載のドア枠２の取付構造において、
前記ドア枠２の外周縁と前記外装材４との間に形成された隙間に目地材６が充填されていることを特徴とする。
【００１５】
請求項３に記載の発明によれば、前記ドア枠２の外周縁と前記外装材４との間に形成された隙間に目地材６が充填されていることから、これらドア枠２と外装材４との間からの雨水等の浸入を確実に防ぐことができるので、ドア枠２周囲の止水性を向上させることが可能となる。
【発明の効果】
【００１６】
本発明によれば、壁パネルの表面に、予め外装材が取り付けられていても、従来とは異なり、ドア枠を、壁パネルの開口部に取り付けできることとなる。すなわち、ドア枠は、現場にて壁パネルの開口部に後付けできることとなり、これによって、壁パネルを、この壁パネルの表面に外装材を取り付けたまま輸送することが可能となるので、現場にて外装材の取付作業を省略することができ、施工性を向上させることが可能となる。
しかも、ドア上枠と外装材との間に設けられる調整材の上面と、外装材の下端面との間は止水されるとともに、この調整材の下面は、ドア上枠の上面に密着しているので、このさせることが可能となる。
【発明を実施するための最良の形態】
【００１７】
以下、図面を参照して本発明の実施の形態について説明する。
【００１８】
本実施の形態のドア枠の取付構造は、図１〜図８に示すように、下端が開口された開口部１ａを有して略門型に形成された壁パネル１の前記開口部１ａにドア枠２を取り付けてなるものであり、前記壁パネル１の表面に、予め外装材４が取り付けられており、前記ドア枠２は、このドア枠２の上部に位置し、かつ前記外装材４の下端部に近接して前記壁パネル１に取付固定されるドア上枠１０と、このドア上枠１０と前記外装材４との間に設けられる調整材１１とを備えており、この調整材１１の上面と前記外装材４の下端面との間は止水されるとともに、この調整材１１の下面は、前記ドア上枠１０の上面に密着している。
なお、前記ドア枠２には、図１に示すように、ドア本体３が取り付けられるようになっている。
【００１９】
ここで、前記壁パネル１は、縦芯材と横芯材とが矩形枠状に組み立てられるとともに、この矩形枠の内部に補強芯材が縦横に組まれて枠体とされ、さらに、この枠体内にグラスウール等の断熱材が充填された状態で、前記枠体の表裏両面に合板等の面材が貼着されたものである。なお、本実施の形態の壁パネル１は、前記ドア枠２を取り付けるために、上述したように略門型に形成されているが、これに限られずに、例えば逆Ｌ字状に形成されたもの等でもよい。
【００２０】
また、この壁パネル１の開口部１ａの内周面には、図２に示すように、予め前記ドア枠２を取付固定するための枠受け材５が取り付けられている。この枠受け材５は、本実施の形態においては前記壁パネル１の各芯材と同様の木材が使用されている。
【００２１】
前記外装材４は、図１に示すように、縦長に形成されたものであり、隣接する外装材４同士の接続部分の裏面には、図３および図８に示すように、胴縁４ａが設けられている。そして、この胴縁４ａによって、前記外装材４が、壁パネル１の表面から所定間隔離間されているので、これら外装材４の裏面と壁パネル１表面との間に通気層４ｂを形成できるようになっている。
【００２２】
一方、前記ドア枠２は、図１に示すように、矩形枠状に形成されてなり、図２に示すように、前記このドア枠２の上部に位置し、かつ前記外装材４の下端部に近接するドア上枠１０と、このドア上枠１０と前記外装材４との間に設けられる調整材１１とを備えている。また、このドア枠２の左右側端には、図１，図４〜図８に示すように、前記開口部１ａの長手方向に沿うケーシング２ａが、前記ドア枠２を左右から囲むようにして設けられており、これらケーシング２ａの上端には、断面がむき出しとなる上端の外観性を向上させるためのケーシングキャップ２ｂが設けられている。
【００２３】
また、前記調整材１１は、図２〜図８に示すように、前記ドア上枠１０の上端部を被覆するようにして前記壁パネル１に取付固定される止水部材１２と、この止水部材１２の表面を被覆するためのカバー部材１３とを備えている。
【００２４】
すなわち、前記止水部材１２によって、前記ドア上枠１０の上端部付近からから雨水等が浸み込んでいくのを確実に防ぐことができるとともに、前記カバー部材１３によって、前記止水部材１２が雨水等によって濡れるのを確実に防ぐことができるので、前記ドア上枠１０周囲の止水性をより向上させることが可能となっている。
【００２５】
ここで、前記ドア上枠１０は、図２に示すように、前記壁パネル１の枠受け材５の表面下部に取付固定されるものであり、前記枠受け材５の外部側正面の下部に当接する部分と、枠受け材５の下面に当接する部分とに、それぞれビス１６が打ち込まれることによって前記枠受け材５、すなわち前記壁パネル１に強固に固定されている。
【００２６】
また、前記止水部材１２は、この止水部材１２の上端部に、前方に向かって突出する上面板部１２１と、下端部に、前方に向かって突出する下面板部１２２を備えている。また、前記上面板部１２１の先端には、後述するカバー部材１３の上端部に形成される第１被係合部１３ａに係合する第１係合部１２ａが形成され、前記下面板部１２２の先端には、後述するカバー部材１３の下端部に形成される第２被係合部１３ｂに係合する第２係合部１２ｂが形成されている。
【００２７】
また、この止水部材１２の裏面には、図２に示すように、後述する防水テープ１４の表面に密着する止水材１２ｄが設けられている。この止水材１２ｄは、前記止水部材１２の裏面側に形成される凹部１２３に嵌め込まれるものである。
【００２８】
さらに、前記カバー部材１３は、上述のように、上端部には、前記止水部材１２の第１係合部１２ａを係合させる第１被係合部１３ａが形成されるとともに、下端部には、前記止水部材１２の第２係合部１２ｂを係合させる第２被係合部１３ｂが形成されている。
したがって、前記第１被係合部１３ａに前記第１係合部１２ａを係合させるとともに、前記第２被係合部１３ｂに前記第２係合部１３ｂを係合させるだけで、前記止水部材１２とカバー部材１３とを容易かつ確実に係合できるようになっている。
【００２９】
その上、このカバー部材１３は、前記止水部材１２を被覆するものであるため、このカバー部材１３によって、この止水部材１２によって被覆される前記ドア上枠１０と壁パネル１との境界部分や、止水部材１２を固定したビス１６を遮蔽できるようになっている。
なお、このカバー部材１３の左右側端には、図６および図７に示すように、断面がむき出しとなる左右側端の外観性を向上させるためのエンドキャップ１３ｃが嵌め込まれている。このエンドキャップ１３ｃとカバー部材１３は一体的に形成されていてもよい。
【００３０】
ここで、前記ドア上枠１０の上端部には、この上端部と壁パネル１との境界部分を被覆するための防水テープ１４が貼り付けられており、前記止水部材１２の裏面には、前記防水テープ１４の表面に密着する止水材１２ｄが設けられるとともに、前記壁パネル１の表面から前記枠受け材５の上端部まで延出する透湿防水シート１５が貼り付けられている。つまり、上述したように前記止水部材１２の止水材１２ｄと前記壁パネル１の表面との間に、前記防水テープ１４および防湿透水シート１５が挟み込まれた状態となっている。
このため、前記防水テープ１４によって、前記ドア上枠１０の上端部と壁パネルとの境界部分から雨水等が浸入するのを確実に防ぐことができるとともに、前記止水材１２ｄによって、前記止水部材１２の裏面側への雨水等の浸入を確実に防ぐことができ、前記ドア上枠１０周囲の止水性をより一層向上させることが可能となる。
【００３１】
一方、前記止水部材１２には、前記第２係合部１２ｂの近傍に、前記カバー部材１３の第２被係合部１３ｂに弾性的に密接する弾性止水材１２ｃが設けられている。この弾性止水材１２ｃは、前記下面板部１２２に設けられ、弾性止水材１２ｃを保持するための保持部１２４によって保持されている。
そして、この弾性止水材１２ｃによって、前記カバー部材１３の第２被係合部１３ｂを、この第２被係合部１３ｂに係合する前記止水部材１２の第２係合部１２ｂに向かって弾性的に押し込むことができるので、これら第２係合部１２ｂおよび第２被係合部１３の係合時におけるガタツキ等をなくして、係合状態を良好なものとすることができる。しかも、この弾性止水材１２ｃによって、前記止水部材１２とカバー部材１３との隙間からの雨水等の浸入を確実に防ぐことができるので、前記ドア上枠１０周囲の止水性を向上させることが可能となる。
【００３２】
なお、図９に示すように、上述のようなドア上枠１０および止水部材１２を、ドア上枠１０Ａとして一体的に形成して、部品の省略化を図るようにしてもよいものとする。一体的に形成されたドア上枠１０Ａには、カバー部材１３Ａが設けられている。
【００３３】
一方、前記ドア枠２の外周縁と前記外装材４との間に形成された隙間には、図２および図８に示すように、目地材６が充填されている。この目地材６は、前記外装材４の表面側に位置するシーリング材６ａと、このシーリング材６ａを前方に支持するバックアップ材６ｂとからなる。
これによって、これらドア枠２と外装材４との間からの雨水等の浸入を確実に防ぐことができるので、ドア枠２周囲の止水性を向上させることが可能となっている。
【００３４】
次に、図面を参照して、前記ドア枠２のドア上枠１０の取付方法について説明する。なお、図４〜図７においては、外装材４を省略した態様となっている。
【００３５】
まず、図１〜図４に示すように、予め前記壁パネル１の表面に、前記外装材４および透湿防水シート１５を取り付けておくとともに、この壁パネル１の開口部１ａに前記枠受け材５を取り付けておく。
その後、ビス１６によって、この枠受け材５の表面にドア上枠１０を取付固定する。なお、この際に、前記防水テープ１４を、前記ドア上枠１０の上端部から前記枠受け材５の表面まで貼り付けておく。また、前記開口部１ａの長手方向に沿うようにしてケーシング２ａを設けるとともに、これらケーシング２ａの上端に前記ケーシングキャップ２ｂを設ける。
【００３６】
続いて、図２および図５に示すように、前記枠受け材５に、この枠受け材５に取付固定されたドア上枠１０の上端部を被覆する止水部材１２を、ビス１６によって取付固定する。この際、予め止水部材１２の凹部１２３に止水材１２ｄを嵌め込んでおき、前記防水テープ１４に密着させることで、止水部材１２を取付固定すると同時に、前記止水部材１２の裏面側への雨水等の浸入を防ぐことができる。
【００３７】
また、この時、この止水部材１２の保持部１２４に、前記弾性止水材１２ｃを保持させておくようにして、この止水部材１２にカバー部材１３を取り付けた際に、この弾性止水材１２ｃが作用するようにしておく。すなわち、前記止水部材１２にカバー部材１３を取り付けると同時に、この弾性止水材１２ｃによって、前記第２係合部１２ｂおよび第２被係合部１３の係合時におけるガタツキ等をなくして、係合状態を良好なものとしたり、前記止水部材１２とカバー部材１３との隙間からの雨水等の浸入を確実に防ぐことができるようになっている。
【００３８】
続いて、図２および図６に示すように、この止水部材１２にカバー部材１３を取り付けて、止水部材１２の表面を被覆して、前記ビス１６等を遮蔽する。
ここで、前記止水部材１２にカバー部材１３を取り付ける際は、前記止水部材１２の上端部に形成された第１係合部１２ａと、下端部に形成された第２係合部１２ｂとを、前記カバー部材１３の上端部に形成された第１被係合部１３ａと、下端部に形成された第２被係合部１３ｂとに係合させる。
また、この時、上述したように前記弾性止水材１２ｃによって、前記第２被係合部１３ｂを、この第２被係合部１３ｂに係合する前記止水部材１２の第２係合部１２ｂに向かって弾性的に押し込むようになっている。
【００３９】
そして、図７に示すように、前記カバー部材１３の左右側端に前記エンドキャップ１３ｃを被せるように取り付けておく。
【００４０】
最後に、図２および図８に示すように、前記ドア枠２の外周縁と前記外装材４との間に形成された隙間に目地材６を充填して、これらドア枠２と外装材４との間からの雨水等の浸入を確実に防ぐようにする。
【００４１】
以上のようにして、前記壁パネル１の開口部１ａに、前記ドア枠２のドア上枠１０を取り付けることができる。なお、ドア枠２の取付後は、図１に示すように、ドア枠２に対してドア本体３を取り付ける。
【００４２】
本実施の形態によれば、前記ドア枠２は、このドア枠２の上部に位置し、かつ前記外装材４の下端部に近接して前記壁パネル１に取付固定されるドア上枠１０と、このドア上枠１０と前記外装材４との間に設けられる調整材１１とを備えているので、前記壁パネル１の表面に、予め外装材４が取り付けられていても、従来とは異なり、前記ドア枠２を、前記壁パネル１の開口部１ａに取り付けできることとなる。すなわち、前記ドア枠２は、現場にて前記壁パネル１の開口部１ａに後付けできることとなり、これによって、前記壁パネル１を、この壁パネル１の表面に前記外装材４を取り付けたまま輸送することが可能となるので、現場にて外装材４の取付作業を省略することができ、施工性を向上させることが可能となる。
しかも、前記調整材１１の上面と前記外装材４の下端面との間は止水されるとともに、この調整材１１の下面は、前記ドア上枠１０の上面に密着しているので、この調整材１１と、前記外装材４およびドア上枠１０との間からの雨水等の浸入を確実に防ぐことができ、前記ドア上枠１０周囲の止水性を向上させることが可能となる。
しかも、前記調整材１１が、前記ドア上枠１０の上端部を被覆する止水部材１２と、この止水部材１２の表面を被覆するカバー部材１３とを備える構成と、前記ドア枠２の外周縁と前記外装材４との間に形成された隙間に目地材６が充填されるような構成とを採用することによって、ドア枠２周囲の止水性を格段に向上させることが可能となる。
【図面の簡単な説明】
【００４３】
【図１】本発明の実施の形態に係るドア枠の取付構造を示す正面図である。
【図２】図１に示すドア枠の取付構造の主要部を示す断面図である。
【図３】ドア枠を取り付ける際の手順を示す斜視図である。
【図４】ドア枠を取り付ける際の手順を示す斜視図である。
【図５】ドア枠を取り付ける際の手順を示す斜視図である。
【図６】ドア枠を取り付ける際の手順を示す斜視図である。
【図７】ドア枠を取り付ける際の手順を示す斜視図である。
【図８】ドア枠を取り付ける際の手順を示す斜視図である。
【図９】図１に示すドア枠の取付構造の主要部の一例を示す断面図である。
【符号の説明】
【００４４】
１  壁パネル
１ａ  開口部
２  ドア枠
４  外装材
１０  ドア上枠
１１  調整材
【図１】
0005065782.tif 000002
【図２】
0005065782.tif 000003
【図３】
0005065782.tif 000004
【図４】
0005065782.tif 000005
【図５】
0005065782.tif 000006
【図６】
0005065782.tif 000007
【図７】
0005065782.tif 000008
【図８】
0005065782.tif 000009
【図９】
0005065782.tif 000010